(57)【要約】  ランプ管を備えるランプであって、ランプ管は、回路板を受容するための、ランプ管の内側に形成された位置決めスロットと、ランプ管の両端に設置可能な２つのエンドカバーであって、各エンドカバーが電源から電力を受け取るための２つの電気端子を備え、各エンドカバーがエンドカバーの内側に配置されかつ電気端子に結合される導電端子を含む、２つのエンドカバーと、位置決めスロット内に位置決めされるように配置される回路板であって、回路板の両端に配置される２つのソケットを含む回路板と、を備え、作業時、各エンドカバーの導電端子は電力を伝達するようにそれぞれのソケットに差し込まれる。【選択図】図２
2014523097.tif 000002
【特許請求の範囲】
【請求項１】
内側に位置決めスロットが設けられる管本体と、
前記管本体の両端にそれぞれ配置される２つのエンドカバーであって、前記エンドカバーのそれぞれに２つの電気端子が設けられ、前記エンドカバーのそれぞれの内側に導電端子が設けられ、前記導電端子が前記電気端子に接続される、２つのエンドカバーと、
前記位置決めスロット内に配置される回路板であって、前記回路板の両端のそれぞれには、前記エンドカバーの前記導電端子と電気伝導状態を形成するように前記導電端子が挿入されるソケットが設けられる、回路板と、
を備えるランプ管。
【請求項２】
前記管本体の下縁部には複数の放熱フィンが形成される、請求項１に記載のランプ管。
【請求項３】
前記エンドカバーおよび前記管本体が、突出リブとリング溝の構成によって結合される、請求項１または２に記載のランプ管。
【請求項４】
前記エンドカバーの前記２つの電気端子および前記導電端子が一体に作製される、請求項１に記載のランプ管。
【請求項５】
前記ソケットがそれぞれ接続座を備え、前記接続座にはハウジングが設けられ、前記ハウジングが少なくとも１つの挿入スロットを備え、前記挿入スロット内には端子および前記端子に接続される導電板が設けられ、前記導電板が、前記回路板と電気的に接続するために前記ハウジングの側縁部にまで延び、前記挿入スロットには、前記エンドカバーの前記導電端子と伝導状態を形成するように前記導電端子が挿入される、請求項１に記載のランプ管。
【請求項６】
前記導電板が前記ハウジングの底部から外方に延びる、請求項５に記載のランプ管。
【請求項７】
前記ハウジングの前記底部には少なくとも１つの位置決めピンが設けられ、前記回路板には前記位置決めピンを受容するための少なくとも１つの位置決め穴が設けられる、請求項６に記載のランプ管。
【請求項８】
当該ランプ管と前記エンドカバーのそれぞれとの間に配置される摺動位置決め構造を備え、前記摺動位置決め構造には、当該ランプ管および前記エンドカバーのそれぞれが適所で固定されうるように、少なくとも１つの突出リブおよび前記突出リブを受容することができるリング溝が設けられる、請求項１に記載のランプ管。
【請求項９】
前記突出リブが前記エンドカバーのそれぞれの内面に設けられ、前記リング溝が、当該ランプ管の外面に当該ランプ管の両端のそれぞれに近接して設けられる、請求項８に記載のランプ管。
【請求項１０】
前記突出リブが、当該ランプ管の外面に両端のそれぞれに近接して設けられ、前記リング溝が、前記エンドカバーのそれぞれの内面に設けられる、請求項８に記載のランプ管。
【請求項１１】
管本体と共に使用されてランプ管を形成するエンドカバーであって、当該エンドカバーには２つの電気端子が設けられ、当該エンドカバーの内面には導電端子が設けられ、前記導電端子が前記２つの電気端子と一体に作製され、
前記導電端子が前記管本体内に挿入されるように配置され、前記管本体が、当該エンドカバーの前記導電端子と電気伝導状態を形成するように前記導電端子が挿入される対応するソケットを備える、エンドカバー。
【請求項１２】
管本体および２つのエンドカバーを備えるランプ本体内に配置される回路板であって、当該回路板の両端のそれぞれには、前記エンドカバーの導電端子と電気伝導状態を形成するように前記導電端子が挿入されるソケットが設けられる、回路板。
【請求項１３】
請求項１２に記載の回路板と共に使用するソケットであって、当該ソケットが接続座を備え、前記接続座にはハウジングが設けられ、前記ハウジングが少なくとも１つの挿入スロットを備え、前記挿入スロット内には端子および前記端子に接続される導電板が設けられ、前記導電板が、前記回路板と電気的に接続するために前記ハウジングの側縁部にまで延び、前記挿入スロットには、前記エンドカバーの前記導電端子と伝導状態を形成するように前記導電端子が挿入される、ソケット。
【発明の詳細な説明】
【関連出願の相互参照】
【０００１】
本出願は、以下の台湾特許出願および中国特許出願、すなわち、
台湾特許出願第１００２１３１３３号明細書、
台湾特許出願第１００１２５２５０号明細書、
台湾特許出願第１０１２００３７２号明細書、
台湾特許出願第１０１２００３７３号明細書、
中国特許出願第２０１２２０１９３８５３．８号明細書、
中国特許出願第２０１２１０１３３５２２．Ｘ号明細書、
中国特許出願第２０１２２０１９３７４２．７号明細書、および
中国特許出願第２０１２２０１９３７０２．２号明細書、の優先権を主張するものであり、参照によりその内容の全体が本明細書に組み込まれる。
【技術分野】
【０００２】
本発明はランプに関する。詳細には、本発明はＬＥＤランプおよびＬＥＤランプの部品に関し（これらに限定されるものではない）、本発明はこれに関して説明される。
【背景技術】
【０００３】
本発明の背景に関する以下の説明は、本発明の理解を容易にすることだけを意図している。この議論は、言及される資料のいずれかが、本発明の優先日の時点でいずれかの管轄において、公開されたもの、知られたもの、または当業者の技術常識の一部であったということの確認または承認ではないことが理解されるべきである。
【０００４】
初期の蛍光ランプ管は一般にガラス製である。蛍光ランプ管は内部に少量の水銀を含んでいるので、蛍光ランプを手に取ったり取り付けたりする人は、極めて慎重でなければならない、というのは、ランプ内の水銀の漏れが環境を汚染するとともに、水銀と接触した人に中毒を引き起こしうるからである。さらに、従来の蛍光ランプは比較的安価であるが、廃棄物として水銀汚染をもたらし得るという欠点を有し、または、ガラス製であるために容易に破損しうる。
【０００５】
つい最近では、改良型の蛍光ランプは、以前のランプホルダに適合するように、すなわち追加的に導入される（ｒｅｔｒｏｆｗｉｔｔｉｎｇ）ように、以前の蛍光ランプの設計と同じ構造を有する照明用発光ダイオード（ＬＥＤ）を採用している。
【０００６】
図１を参照すると、従来のＬＥＤランプ管の構造は一般に、中空管本体１１、発光モジュール１２および２つの外部接続モジュール１３を含む。中空管本体１１は、座本体１１０および座本体１１０を覆うランプカバー１１１を含む。発光モジュール１２は、回路板１２０および回路板１２０に結合される複数のＬＥＤ１２１を含む。回路板１２０は、回路板１２０上に、ＬＥＤ１２１に電気的に接続された電気回路を有する。電気回路は、回路板１２０の両側のそれぞれの近くに２つの導電領域１２３を有する。２つの外部接続モジュール１３は中空管本体１１の両端に結合される。外部接続モジュール１３はそれぞれ、エンドカバー１３０、固定ブロック１３１および２つの端子を含む。エンドカバー１３０は、ねじボルト１３３を使用して座本体１１０に一体化される。固定ブロック１３１は、ねじボルト１３３により座本体１１０にねじ留めされる。２つの端子はそれぞれ、埋め込みブロック１３６および案内ピン１３７を含む。埋め込みブロック１３６は、固定ブロック１３１内に埋め込まれ、片側が固定ブロック１３１の底側から露出しており、外部回路板１２０の外側にはんだ付けされて接触した状態となる。案内ピン１３７は、埋め込みブロック１３６の端面から延びるとともに、エンドカバー１３０から外側へ延びる。
【発明の概要】
【発明が解決しようとする課題】
【０００７】
しかしながら、現在のＬＥＤランプ管には少なくとも以下の欠点がある。
１．外部接続モジュールの組立てが複雑であり、それによって組立コストを増大させる。
２．はんだ付けの品質を肉眼で判断するのが困難である。したがって、微細なひびが発生しているかもしれない。さらに、はんだ付け要員の熟練度が一致していないと、はんだ付けの品質が影響を受けやすく、電気的接触が損なわれることになる。
３．上述した図１のＬＥＤランプ管は従来のランプホルダ構造を採用しており、したがって、ＬＥＤランプ管が従来のランプホルダ構造内に挿入されると、電源に接続するために９０度の回転が必要であるので、ＬＥＤランプ管の下側が照明を受けることができないようにＬＥＤランプ管の照明面が９０度ずらされる。
【０００８】
本発明は、上述した欠点を少なくとも部分的に軽減するランプを提供しようとするものである。
【０００９】
本発明は、１つの管本体と１つの回路板と２つのエンドカバーとを備えるランプ管を提供することを目的としており、ランプ管は、ユーザが単純な挿入動作によって信頼性のある導電接触を形成するのを容易にし、ランプ管の回路板および管本体は、エンドカバーに対して３６０度回転して異なる照射角で得られる効果を調整するように作動可能であり、それによって全体的な有用性を高める。
【課題を解決するための手段】
【００１０】
本発明の第１の態様によれば、内側に位置決めスロットが設けられる管本体と、管本体の両端にそれぞれ配置される２つのエンドカバーであって、エンドカバーのそれぞれに２つの電気端子が設けられ、エンドカバーのそれぞれの内側に導電端子が設けられ、導電端子が電気端子に接続される、２つのエンドカバーと、位置決めスロット内に配置される回路板であって、回路板の両端のそれぞれには、エンドカバーの導電端子と電気伝導状態を形成するように導電端子が挿入されるソケットが設けられる、回路板と、を備えるランプ管がある。
【００１１】
管本体の下縁部には複数の放熱フィンが形成されることが好ましい。
【００１２】
エンドカバーおよび管本体は、突出リブとリング溝の構成によって結合されることが好ましい。
【００１３】
エンドカバーの電気端子および導電端子は一体に作製されることが好ましい。このことは、管本体がエンドカバーに対して回転されるときでも、成形の容易化および電気端子と導電端子との間の信頼性のある電気伝導を助長する。
【００１４】
好ましくは、各ソケットは接続座を備え、接続座にはハウジングが設けられ、ハウジングは少なくとも１つの挿入スロットを備え、挿入スロット内には端子および端子に接続される導電板が設けられ、導電板は、回路板と電気的に接続するためにハウジングの側縁部にまで延び、挿入スロットには、エンドカバーの導電端子と伝導状態を形成するようにエンドカバーの導電端子が挿入される。
【００１５】
導電板はハウジングの底部から外方に延び、ハウジングの底部には少なくとも１つの位置決めピンが設けられ、回路板には位置決めピンを受容するための少なくとも１つの位置決め穴が設けられることが好ましい。
【００１６】
ランプ管は、ランプ管とエンドカバーのそれぞれとの間に配置される摺動位置決め構造を備え、摺動位置決め構造には、ランプ管およびエンドカバーのそれぞれが適所で固定されうるように、少なくとも１つの突出リブおよび突出リブを受容することができるリング溝が設けられることが好ましい。
【００１７】
突出リブはエンドカバーのそれぞれの内面に設けられ、リング溝は、ランプ管の外面にランプ管の両端のそれぞれに近接して設けられることが好ましい。かかるエンドカバーは成形が容易である。
【００１８】
あるいは、突出リブは、ランプ管の外面に両端のそれぞれに近接して設けられ、リング溝は、エンドカバーのそれぞれ内面に設けられる。
【００１９】
本発明の第２の態様によれば、管本体と共に使用されてランプ管を形成するエンドカバーがあり、エンドカバーには２つの電気端子が設けられ、エンドカバーのそれぞれの内面には導電端子が設けられ、導電端子は２つの電気端子と一体に作製され、導電端子は管本体内に挿入されるように配置され、管本体は、エンドカバーの導電端子と電気伝導状態を形成するように導電端子が挿入される対応するソケットを備える。
【００２０】
本発明の第３の態様によれば、管本体および２つのエンドカバーを備えるランプ本体内に配置される回路板があり、回路板の両端のそれぞれには、エンドカバーの導電端子と電気伝導状態を形成するように導電端子が挿入されるソケットが設けられる。
【００２１】
本発明の第４の態様によれば、本発明の第３の態様の回路板と共に使用するソケットがあり、ソケットは接続座を備え、接続座にはハウジングが設けられ、ハウジングは少なくとも１つの挿入スロットを備え、挿入スロット内には端子および端子に接続される導電板が設けられ、導電板は、回路板と電気的に接続するためにハウジングの側縁部にまで延び、挿入スロットには、エンドカバーの導電端子と伝導状態を形成するようにエンドカバーの導電端子が挿入される。
【００２２】
次に、本発明について単なる例として添付図面を参照しながら説明する。
【図面の簡単な説明】
【００２３】
【図１】図１は、従来技術のランプ管の概略図を示している。
【図２】図２は、本発明の第１の実施形態による、管本体および切り欠かれたエンドカバーの分解図を示している。
【図３】図３は、本発明の第１の実施形態によるランプ管の断面図を示している。
【図４】図４は、本発明の第１の実施形態による、エンドカバーに対して回転可能な管本体を有するはめ込み式ランプ管を示している。
【図５】図５は、本発明の第２の実施形態による、摺動位置決め構造を有するランプ管の分解図を示している。
【図６】図６は、本発明の第２の実施形態によるランプ管の断面図を示している。
【図７】図７は、本発明の第２の実施形態によるランプ管の前端断面図を示している。
【図８】図８は、本発明の第２の実施形態による、エンドカバーに対して回転可能な管本体を有するはめ込み式ランプ管を示している。
【図９】図９は、異なる摺動位置決め構造を有する本発明の第２の実施形態によるランプ管の分解図を示している。
【図１０】図１０は、図９のランプ管の端面図を示している。
【図１１】図１１は、本発明の第３の実施形態による、ランプ管および切り欠かれたエンドカバーの分解図を示している。
【図１２】図１２は、本発明の第３の実施形態によるランプ管の断面図を示している。
【図１３】図１３は、本発明の第３の実施形態によるランプ管の前端断面図を示している。
【図１４】図１４は、本発明の第３の実施形態による、エンドカバーに対して回転可能なはめ込み式ランプ管を示している。
【発明を実施するための形態】
【００２４】
本発明の他の構成が考えられ、したがって添付図面は本発明に関する前述の説明の一般性に取って代わるものと理解されるべきではない。
【００２５】
本発明の特徴は、この場合の図面および諸実施形態の詳細な説明を参照して明確に理解されうる。
【００２６】
本発明の第１の実施形態によれば、ランプ管１００がある。図２は、ランプ管１００の分解構造図を示している。ランプ管１００は管本体２１および２つのエンドカバー２２を備える（切欠断面図として示されている）。ランプ管１００は回路板２３を受容するように構成される。
【００２７】
管本体２１の内側には座本体２１１が設けられる。座本体２１１には、回路板２３を配置するための位置決めスロット２１２が設けられる。図２から図４に示されている実施形態では、管本体２１は円管として形状を定められる。管本体２１の下縁部は、放熱用の複数の放熱フィン２１３として形成されうる。作業時、回路板２３が管本体２１および位置決めスロット２１２内に挿入されると、回路板２３は放熱用の放熱フィン２１３と熱接触する。
【００２８】
通常作業時、エンドカバー２２はそれぞれ管本体２１の両端に配置される。各エンドカバー２２には、電源またはコンセント（図示せず）に接続するための少なくとも２つの電気端子２２１が設けられる。各エンドカバー２２の内側、すなわち管本体２１への接続を行う側に、導電端子２２２が設けられる。
【００２９】
導電端子２２２は、高電流（典型的には最大で２アンペア）に耐えるべき導電材料を備える。導電端子２２２は棒の形に形状を定められる。導電端子２２２は電気端子２２１に電気的に接続され、電気端子２２１は導電端子２２２と一体に作製される。電気端子２２１および導電端子２２２は、射出成形によってエンドカバー２２と一体に作製されてもよい。
【００３０】
回路板２３は位置決めスロット２１２内に配置される。回路板２３の各端部には、回路板２３上に適切に取り付けられたソケット２３１が設けられる。回路板２３には複数の発光ダイオード２３２が設けられてもよい。回路板２３は、発光ダイオード２３２を電気的に接続する回路（図示せず）を有する。回路は、ソケット２３１と共に電気接続を形成する。各ソケット２３１は、電力を受け取るための対応する導電端子２２２を受容するように構成される。棒−ソケット配置は確実で信頼性のある電気接続をもたらして、管本体２１がエンドカバー２２に対して回転される作業時に電気接触を最大限にする。回路板２３上に取り付けられるソケット２３１の形をとる専用電気コネクタを有しているので、エンドカバー２２が回路板２３に装着され、そして管本体２１がエンドカバー２２に対して回転されたときに磨滅から生じる主回路板２３へのいかなる直接的な損傷をも軽減される。したがって、磨滅は、容易に交換可能となりうるソケット２３１および導電端子２２２に限定される。
【００３１】
エンドカバー２２および管本体２１は、突出リブとリング溝の構成によって接続されうる。図３に示されている実施形態では、エンドカバー２２の内側に突出リブのリング２２３が設けられ、それに対応して管本体２１にリング溝２１４が設けられる。エンドカバー２２の周囲および直径は、管本体２１の周囲および直径より大きい。この埋め込み方法でエンドカバー２２および管本体２１を固定することにより、かつ、各エンドカバー２２の導電端子２２２をソケット２３１内に直接挿入することにより、この実施形態の管本体２１が従来のランプ座構造内に挿入されると、電気端子２２１および導電端子２２２はソケット２３１および回路板２３を流れる電流ループを形成し、したがって発光ダイオード２３２は電力を受け取ることにより発光し点灯される。
【００３２】
あるいは、エンドカバー２２は内側にリング溝２１４が設けられ、それに対応して管本体２１に突出リブのリング２２３が設けられる場合もありうる。
【００３３】
本発明には従来のランプ管と比べて下記の利点がある。
１．単純な挿入動作により、エンドカバー２２および管本体２１を組み立てることができるので、部品の組立てが容易になり、部品の保守が容易になり、部品の点検が容易になり、かつ部品の交換が容易になり、それによって有用性が高まる。管本体２１にエンドカバー２２を装着しかつ固定するためにねじボルトが不要であることが理解されうる。
２．管本体２１、回路板２３およびエンドカバー２２の配置により、ユーザは単純な挿入動作により確実な電気接触を形成することができる。回路板２３および管本体２１は、図４に示されているように、エンドカバー２２に対して３６０度回転して異なる照射角で得られる効果を調整し、それによって全体的な有用性を高めることができる。
【００３４】
ランプ管２は、Ｔ８ＬＥＤランプ管（これに限定されるものではない）などのＬＥＤランプ管でもよいことが理解されるべきである。
【００３５】
同じ番号が同じ部分を表している本発明の第２の実施形態によれば、図５に本発明のランプ管５００の分解構造図が示されている。ＬＥＤランプ管５００の側断面図は図６に示されており、ＬＥＤランプ管５００の前端断面図は図７に示されている。ＬＥＤランプ管５００は、管本体２１、２つのエンドカバー２２、回路板２３および摺動位置決め構造２４０を備える。
【００３６】
管本体２１の内側には、回路板２３を配置するための位置決めスロット２１１が設けられる。
【００３７】
作業時、エンドカバー２２はそれぞれ、管本体２１の両端に配置される。各エンドカバー２２には２つの電気端子２２１が設けられ、各エンドカバー２２の内側には導電端子２２２が設けられる。導電端子２２２は電気端子２２１に接続されて、電気端子２２１が導電端子２２２と一体に作製されており、オーバーモールド成形によってエンドカバー２２と一体に作製される。
【００３８】
通常作業時、回路板２３は位置決めスロット２１２内に配置される。回路板２３の両端にはそれぞれソケット２３１が設けられる。回路板２３には複数の発光ダイオード２３２が設けられてもよい。回路板２３は、発光ダイオード２３２を電気的に接続する回路（図示せず）を有する。回路は、ソケット２３１と共に電気接続を形成する。
【００３９】
摺動位置決め構造２４０は、管本体２１と各エンドカバー２２との間の確実な接続を容易にするために、管本体２１と各エンドカバー２２との間に配置される。摺動位置決め機構２４０には、少なくとも１つの突出リブ２４１および突出リブ２４１を受容するためのリング溝２４２が設けられる。突出リブ２４１は両側に切削溝２４３が設けられる。図５から図７に示されている第２の実施形態では、突出リブ２４１は各エンドカバー２２の内面に配置され、リング溝２４２は、管本体２１の外面に両端部側に近接して配置される。切削溝２４３が突出リブ２４１にリング溝２４２との好都合な「スナップフィット」のための弾性を与えることにより、かつ、突出リブ２４１とリング溝２４２が係合することにより、管本体２１およびエンドカバー２２が適所で固定されうる。
【００４０】
各エンドカバー２２の導電端子２２２をソケット２３１内に直接挿入して電気接触伝導部を形成することにより、管本体２１が従来のランプ座構造内に挿入されると、電気端子２２１および導電端子２２２はソケット２３１および回路板２３を流れる電流ループを形成し、したがって発光ダイオード２３２はコンセントから電力が供給されると発光し点灯される。さらに、突出リブ２４１がリング溝２４２内で摺動することにより、管本体２１および各エンドカバー２２は、図８に示されているように、３６０度相対回転してランプ管および回路板の方向付け回転を成し、それによって使用時に所要の照射角への調整を容易にすることができる。
【００４１】
あるいは、突出リブ２４１は、図９および図１０に示されているように管本体２１の外面に両端部側に近接して配置され、リング溝２４２は各エンドカバー２２の内面に配置され、それによって管本体２１および各エンドカバー２２が均等に適所で固定されかつ相対回転できるようにすることもできる。
【００４２】
同じ番号が同じ部分を表している本発明の第３の実施形態によれば、ランプ管１０００が提供され、ランプ管１０００の構造概略図が図１１から図１３に示されている。ＬＥＤランプ管１０００は、管本体２１および２つのエンドカバー２２を含む。ランプ管１０００は回路板２３を受容するように構成される。
【００４３】
管本体２１の内側には座本体２１１が設けられる。座本体２１１には、回路板２３を配置するための位置決めスロット２１２が設けられる。図に示されている実施形態では、管本体２１は円管の形状であり、管本体２１の下縁部には放熱用の複数の放熱フィン２１３が形成される。
【００４４】
通常作業時、エンドカバー２２はそれぞれ、管本体２１の両端に配置される。各エンドカバー２２には２つの電気端子２２１が設けられ、各エンドカバー２２の内側には導電端子２２２が設けられる。導電端子２２２は電気端子２２１に接続されて、電気端子２２１が導電端子２２２と一体に作製されており、オーバーモールド成形によってエンドカバー２２と一体に作製される。
【００４５】
通常作業時、回路板２３は位置決めスロット２１２内に配置される。回路板２３は両端にそれぞれ接続座２３１ａが設けられる。回路板２３には複数の発光ダイオード２３２が設けられうる。回路板２３は、発光ダイオード２３２を電気的に接続する回路（図示せず）を有する。回路は、接続座２３１ａと共に電気接続を形成する。
【００４６】
接続座２３１ａはハウジング２３３を備える。ハウジング２３３は、電気絶縁材料、例えば、強化ポリブチレンテレフタレート（ＰＢＴ）で作られる。強化ＰＢＴは、最高で３００℃の熱に耐えることができる。ハウジング２３３には少なくとも１つの挿入スロット２３４が設けられる。挿入スロット２３４は内部に電気端子２３５が設けられ、導電板２３６が端子２３５に接続される（図１１および図１２参照）。導電板２３６はハウジング２３３の側縁部にまで延びる。図示されている第３の実施形態では、導電板２３６は、回路板２３にはんだ付けされて回路板２３と電気的に接続するように、ハウジング２３３の底部から外方に延びる。挿入スロット２３４は、導電端子２２２および端子２３５が互いに接触して電気伝導部を形成するように、エンドカバー２２の導電端子２２２を挿入するために設けられる。さらに、ハウジング２３３は底部に少なくとも１つの位置決めピン２３７が設けられる。回路板２３には、接続座２３１ａが回路板２３上により安定的に位置付けられうるように、位置決めピンを受容するための少なくとも１つの位置決め穴２３８が設けられる。
【００４７】
ランプ管１０００が従来のランプ座構造内に挿入されると、電気端子２２１および導電端子２２２は接続座２３１ａおよび回路板２３を流れる電流ループを形成し、したがって発光ダイオード２３２はコンセントから電力を受け取ることにより発光し点灯される。したがって、この実施形態は、単純な挿入動作によりエンドカバーおよびランプ管を組み立てるので、部品の組立てが容易になり、部品の保守が容易になり、部品の点検が容易になり、かつ部品の交換が容易になり、それによって有用性が高まる。
【００４８】
さらに、エンドカバー２２およびランプ管１０００は、第２の実施形態に示されているような突出リブとリング溝の構成によって結合されうる。
【００４９】
要約すると、上記実施形態は、図１に示されている従来技術に示されているようなねじボルトを必要としないより良いかつ実用的なＬＥＤランプ管を提供する。本発明の開示に基づいて、当業者は、本発明の主旨から逸脱しない様々な置き換えおよび修正を依然として実行することができ、特に、各実施形態の特徴は他の実施形態を形成するように組み合わされうる。したがって、本発明の保護範囲は諸実施形態の開示に限定されるべきではなく、本発明から逸脱せずかつ下記の特許請求の範囲で網羅される種々の置き換えおよび修正を包含するものとする。
【図１】
2014523097.tif 000003
【図２】
2014523097.tif 000004
【図３】
2014523097.tif 000005
【図４】
2014523097.tif 000006
【図５】
2014523097.tif 000007
【図６】
2014523097.tif 000008
【図７】
2014523097.tif 000009
【図８】
2014523097.tif 000010
【図９】
2014523097.tif 000011
【図１０】
2014523097.tif 000012
【図１１】
2014523097.tif 000013
【図１２】
2014523097.tif 000014
【図１３】
2014523097.tif 000015
【図１４】
2014523097.tif 000016
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
内側に位置決めスロットが設けられる管本体と、
前記管本体の両端にそれぞれ配置される２つのエンドカバーであって、前記エンドカバーのそれぞれに２つの電気端子が設けられ、前記エンドカバーのそれぞれの内側に棒状の導電端子が設けられ、前記導電端子が前記電気端子に接続される、２つのエンドカバーと、
前記位置決めスロット内に配置される回路板であって、前記回路板の両端のそれぞれには、前記エンドカバーの棒状の前記導電端子と電気伝導状態を形成するように前記導電端子を受けるように配置されるソケットが設けられ、棒状の前記導電端子および前記ソケットが、前記エンドカバーに対して前記管本体が回転可能であるように構成される、回路板と、
を備えるランプ管。
【請求項２】
前記管本体の下縁部には複数の放熱フィンが形成される、請求項１に記載のランプ管。
【請求項３】
前記エンドカバーおよび前記管本体が、突出リブとリング溝の構成によって結合される、請求項１または２に記載のランプ管。
【請求項４】
前記エンドカバーの前記２つの電気端子および前記導電端子が一体に作製される、請求項１に記載のランプ管。
【請求項５】
前記ソケットがそれぞれ接続座を備え、前記接続座にはハウジングが設けられ、前記ハウジングが少なくとも１つの挿入スロットを備え、前記挿入スロット内には端子および前記端子に接続される導電板が設けられ、前記導電板が、前記回路板と電気的に接続するために前記ハウジングの側縁部にまで延び、前記挿入スロットには、前記エンドカバーの前記導電端子と伝導状態を形成するように前記導電端子が挿入される、請求項１に記載のランプ管。
【請求項６】
前記導電板が前記ハウジングの底部から外方に延びる、請求項５に記載のランプ管。
【請求項７】
前記ハウジングの前記底部には少なくとも１つの位置決めピンが設けられ、前記回路板には前記位置決めピンを受容するための少なくとも１つの位置決め穴が設けられる、請求項６に記載のランプ管。
【請求項８】
当該ランプ管と前記エンドカバーのそれぞれとの間に配置される摺動位置決め構造を備え、前記摺動位置決め構造には、当該ランプ管および前記エンドカバーのそれぞれが適所で固定されうるように、少なくとも１つの突出リブおよび前記突出リブを受容することができるリング溝が設けられる、請求項１に記載のランプ管。
【請求項９】
前記突出リブが前記エンドカバーのそれぞれの内面に設けられ、前記リング溝が、当該ランプ管の外面に当該ランプ管の両端のそれぞれに近接して設けられる、請求項８に記載のランプ管。
【請求項１０】
前記突出リブが、当該ランプ管の外面に両端のそれぞれに近接して設けられ、前記リング溝が、前記エンドカバーのそれぞれの内面に設けられる、請求項８に記載のランプ管。
【請求項１１】
管本体と共に使用されてランプ管を形成するエンドカバーであって、当該エンドカバーには２つの電気端子が設けられ、当該エンドカバーの内面には棒状の導電端子が設けられ、前記導電端子が前記２つの電気端子と一体に作製され、
前記棒状の導電端子が前記管本体内に挿入されるように配置され、前記管本体が、当該エンドカバーの棒状の前記導電端子と電気伝導状態を形成するように前記導電端子を受けるように配置される対応するソケットを備え、棒状の前記導電端子および前記ソケットが、前記エンドカバーに対して前記管本体が回転可能であるように構成される、エンドカバー。
【請求項１２】
管本体および２つのエンドカバーを備えるランプ本体内に配置される回路板であって、当該回路板の両端のそれぞれには、前記エンドカバーの棒状の導電端子と電気伝導状態を形成するように前記導電端子を受けるように配置されるソケットが設けられ、棒状の前記導電端子および前記ソケットが、前記エンドカバーに対して前記管本体が回転可能であるように構成される、回路板。
【請求項１３】
請求項１２に記載の回路板と共に使用するソケットであって、当該ソケットが接続座を備え、前記接続座にはハウジングが設けられ、前記ハウジングが少なくとも１つの挿入スロットを備え、前記挿入スロット内には端子および前記端子に接続される導電板が設けられ、前記導電板が、前記回路板と電気的に接続するために前記ハウジングの側縁部にまで延び、前記挿入スロットが、前記エンドカバーの棒状の前記導電端子と伝導状態を形成するように前記導電端子を受けるように配置され、棒状の前記導電端子および前記ソケットが、前記エンドカバーに対して前記管本体が回転可能であるように構成される、ソケット。
【手続補正２】
【補正対象書類名】明細書
【補正対象項目名】００１０
【補正方法】変更
【補正の内容】
【００１０】
本発明の第１の態様によれば、内側に位置決めスロットが設けられる管本体と、管本体の両端にそれぞれ配置される２つのエンドカバーであって、エンドカバーのそれぞれに２つの電気端子が設けられ、エンドカバーのそれぞれの内側に棒状の導電端子が設けられ、棒状の導電端子が電気端子に接続される、２つのエンドカバーと、位置決めスロット内に配置される回路板であって、回路板の両端のそれぞれには、エンドカバーの導電端子と電気伝導状態を形成するように導電端子を受けるように配置されるソケットが設けられ、棒状の導電端子およびソケットが、エンドカバーに対して管本体が回転可能であるように構成される、回路板と、を備えるランプ管がある。
【手続補正３】
【補正対象書類名】明細書
【補正対象項目名】００１９
【補正方法】変更
【補正の内容】
【００１９】
本発明の第２の態様によれば、管本体と共に使用されてランプ管を形成するエンドカバーがあり、エンドカバーには２つの電気端子が設けられ、エンドカバーのそれぞれの内面には棒状の導電端子が設けられ、導電端子は２つの電気端子と一体に作製され、棒状の導電端子は管本体内に挿入されるように配置され、管本体は、エンドカバーの棒状の導電端子と電気伝導状態を形成するように導電端子を受けるように配置される対応するソケットを備え、棒状の導電端子およびソケットは、エンドカバーに対して管本体が回転可能であるように構成される。
【手続補正４】
【補正対象書類名】明細書
【補正対象項目名】００２０
【補正方法】変更
【補正の内容】
【００２０】
本発明の第３の態様によれば、管本体および２つのエンドカバーを備えるランプ本体内に配置される回路板があり、回路板の両端のそれぞれには、エンドカバーの棒状の導電端子と電気伝導状態を形成するように導電端子を受けるように配置されるソケットが設けられ、棒状の導電端子およびソケットは、エンドカバーに対して管本体が回転可能であるように構成される。
【手続補正５】
【補正対象書類名】明細書
【補正対象項目名】００２１
【補正方法】変更
【補正の内容】
【００２１】
本発明の第４の態様によれば、本発明の第３の態様の回路板と共に使用するソケットがあり、ソケットは接続座を備え、接続座にはハウジングが設けられ、ハウジングは少なくとも１つの挿入スロットを備え、挿入スロット内には端子および端子に接続される導電板が設けられ、導電板は、回路板と電気的に接続するためにハウジングの側縁部にまで延び、挿入スロットは、エンドカバーの棒状の導電端子と伝導状態を形成するようにエンドカバーの導電端子を受けるように配置され、棒状の導電端子およびソケットは、エンドカバーに対して管本体が回転可能であるように構成される。
【手続補正６】
【補正対象書類名】明細書
【補正対象項目名】００３５
【補正方法】変更
【補正の内容】
【００３５】
同じ番号が同じ部分を表している本発明の第２の実施形態によれば、図５に本発明のランプ管５００の分解構造図が示されている。ＬＥＤランプ管５００の側断面図は図６に示されており、ＬＥＤランプ管５００の前端断面図は図７に示されている。ＬＥＤランプ管５００は、管本体２１、２つのエンドカバー２２、回路板２３および摺動位置決め構造を備える。
【手続補正７】
【補正対象書類名】明細書
【補正対象項目名】００３６
【補正方法】変更
【補正の内容】
【００３６】
管本体２１の内側には、回路板２３を配置するための位置決めスロット２１２が設けられる。
【手続補正８】
【補正対象書類名】明細書
【補正対象項目名】００３９
【補正方法】変更
【補正の内容】
【００３９】
摺動位置決め構造は、管本体２１と各エンドカバー２２との間の確実な接続を容易にするために、管本体２１と各エンドカバー２２との間に配置される。摺動位置決め機構には、少なくとも１つの突出リブ２４１および突出リブ２４１を受容するためのリング溝２４２が設けられる。突出リブ２４１は両側に切削溝２４３が設けられる。図５から図７に示されている第２の実施形態では、突出リブ２４１は各エンドカバー２２の内面に配置され、リング溝２４２は、管本体２１の外面に両端部側に近接して配置される。切削溝２４３が突出リブ２４１にリング溝２４２との好都合な「スナップフィット」のための弾性を与えることにより、かつ、突出リブ２４１とリング溝２４２が係合することにより、管本体２１およびエンドカバー２２が適所で固定されうる。
【手続補正９】
【補正対象書類名】図面
【補正対象項目名】図７
【補正方法】変更
【補正の内容】
【図７】
2014523097.tif 000017
【手続補正１０】
【補正対象書類名】図面
【補正対象項目名】図１１
【補正方法】変更
【補正の内容】
【図１１】
2014523097.tif 000018
【国際調査報告】
2014523097.tif 000019
2014523097.tif 000020